(57)【要約】【課題】本発明はコネクタ変換アダプタのＣＤ−ＲＯＭ装置への取り付けの構造の部分のコストを安価とすることを課題とする。【解決手段】コネクタ変換アダプタ４０は、プリント基板４１と背面板２５との間に、スペーサ５０、５１を介在させて、ねじ５２、５３によってＣＤ−ＲＯＭドライブ２０の背面側に取り付けてある。スペーサ５０、５１は、図３中に拡大して示すように、リング状であり、タップはきられていず、ＡＢＳ樹脂製の成形部品である。【選択図】　　　　図３
2004071005.tif 000002
【特許請求の範囲】
【請求項１】
ディスク装置の背面にコネクタ変換アダプタを取り付ける構造において、
合成樹脂製の成形部品であり穴を有するスペーサを、ディスク装置の背面とコネクタ変換アダプタとの間に挟んで、ねじを、コネクタ変換アダプタの穴及びスペーサの穴を通してディスク装置の背面の雌ねじ部にねじ込むことによって取り付けられた構成としたことを特徴とするディスク装置へのコネクタ変換アダプタの取り付け構造。
【請求項２】
上記スペーサは、挟まれる面に凹部を有し、この凹部の内部が成形金型のゲートの位置となっている構成であることを特徴とする請求項１に記載のディスク装置へのコネクタ変換アダプタの取り付け構造。
【請求項３】
ディスク装置の背面にコネクタ変換アダプタを取り付けるときに使用する取り付け用治具であって、
ディスク装置が置かれる支持台を、置かれたディスク装置の背面の雌ねじ部に対向する場所に、スペーサを支持するスペーサ支持部を有する構成としたことを特徴とするコネクタ変換アダプタの取り付け用治具。
【請求項４】
前記支持台は、支持柱に所定の角度にもって支持される傾斜位置と前記支持台を立ち上げた垂直位置との間で回動可能に設けられていることを特徴とする請求項３に記載のコネクタ変換アダプタの取り付け用治具。
【発明の詳細な説明】
【０００１】
【発明の属する技術分野】
本発明はディスク装置へのコネクタ変換アダプタの取り付け構造に係り、特に、コネクタ変換アダプタをディスク装置の背面に取り付ける構造に関する。
【０００２】
【従来の技術】
ＣＤ−ＲＯＭドライブは、トレイが出入り可能であり、且つ、背面にコネクタを備えた構成であり、コンピュータ装置内に組み込まれて使用される。ＣＤ−ＲＯＭドライブの背面のコネクタには、コンピュータ装置の内部の制御用ボードから延びているケーブルの先端のケーブルコネクタが接続される。
【０００３】
コンピュータ装置を製造しているメーカによっては、通常のケーブルコネクタとは異なる型のケーブルコネクタを使用している場合がある。よって、ＣＤ−ＲＯＭドライブの製造メーカでは、納入先が上記のメーカであるＣＤ−ＲＯＭドライブについては、通常とは異なる型のケーブルコネクタが接続できるように背面にコネクタ変換アダプタを取り付けた状態で出荷している。コネクタ変換アダプタは、細長いプリント基板の片面に通常のコネクタ、反対側の面に別の型のコネクタが実装してある構造である。
【０００４】
従来は、図６に示すように、コネクタ変換アダプタ１は、真鍮製のねじ一体型のスペーサ部材２を介して、ねじ部材３により固定されて、ＣＤ−ＲＯＭドライブ１０の背面板１１側に取り付けられていた。
【０００５】
スペーサ部材２は、ねじ部２ａと、スペーサとして機能するねじ頭部２ｂとよりなり、ねじ頭部２ｂに更に雌ねじ部２ｃを有する構造である。
【０００６】
スペーサ部材２は、そのねじ部２ａをＣＤ−ＲＯＭドライブ１０の背面板１１の雌ねじ部１２にねじ込んで固定してある。ねじ部材３がコネクタ変換アダプタ１の穴１ａを通って雌ねじ部２ｃにねじ込んで固定してあり、コネクタ変換アダプタ１がねじ頭部２ｂに固定されている。
【０００７】
【発明が解決しようとする課題】
スペーサ部材２はねじ一体型である構造であるので、真鍮の棒材から削り出して製造されることになり、製造コストが高かった。
【０００８】
また、スペーサ部材２のねじ込みとねじ部材３のねじ込みとの二回のねじ込み操作が必要となり、コネクタ変換アダプタ１を取り付ける作業性がよくなかった。
【０００９】
そこで、本発明は、上記課題を解決したディスク装置へのコネクタ変換アダプタの取り付け構造及び取り付け用治具を提供することを目的とする。
【００１０】
【課題を解決するための手段】
請求項１の発明は、ディスク装置の背面にコネクタ変換アダプタを取り付ける構造において、
合成樹脂製の成形部品であり穴を有するスペーサを、ディスク装置の背面とコネクタ変換アダプタとの間に挟んで、ねじを、コネクタ変換アダプタの穴及びスペーサの穴を通してディスク装置の背面の雌ねじ部にねじ込むことによって取り付けられた構成としたものである。
【００１１】
合成樹脂製の成形部品であるスペーサを使用しているため、コストを安くすることが出来る。
【００１２】
請求項２の発明は、請求項１に記載のコネクタ変換アダプタの取り付け構造において、上記スペーサは、挟まれる面に凹部を有し、この凹部の内部が成形金型のゲートの位置となっている構成であるようにしたものである。
【００１３】
凹部は凸状のゲート跡を収める。よって、凸状のゲート跡が形成されても凸状のゲート跡は凹部内に収まって、スペーサの厚さに影響はない。
【００１４】
請求項３の発明は、ディスク装置の背面にコネクタ変換アダプタを取り付けるときに使用する取り付け用治具であって、
ディスク装置が置かれる支持台を、置かれたディスク装置の背面の雌ねじ部に対向する場所に、スペーサを支持するスペーサ支持部を有する構成としたものである。
【００１５】
スペーサは、ディスク装置を支持台に置いたのちに、スペーサ支持部に嵌合させることによって位置決めされる。よって、作業者が指先でスペーサを押えて支持するような面倒はなく、よって、コネクタ変換アダプタをディスク装置の背面に取り付ける作業を簡単に且つ作業性良く行うことが出来る。
【００１６】
請求項４の発明は、請求項３に記載の取り付け用治具において、前記支持台は、支持柱に所定の角度にもって支持される傾斜位置と前記支持台を立ち上げた垂直位置との間で回動可能に設けられている構成としたものである。
【００１７】
ねじ止め作業を上側から行うことが可能となり、コネクタ変換アダプタをディスク装置の背面に取り付ける作業を簡単に且つ作業性良く行うことが可能となる。
【００１８】
【発明の実施の形態】
図１は本発明の一実施例になるコネクタ変換アダプタの取り付け構造を概略的に示す。図２は本発明の一実施例になるコネクタ変換アダプタの取り付け構造が適用してあるＣＤ−ＲＯＭドライブ２０を示す。図３はこのＣＤ−ＲＯＭドライブ２０へのコネクタ変換アダプタ４０の取り付け構造を示す。
【００１９】
ＣＤ−ＲＯＭドライブ２０は、偏平なケース２１と、ケース２１に対して出入り可能であるＣＤ−ＲＯＭドライブ本体２２とよりなる。ＣＤ−ＲＯＭドライブ本体２２は、ターンテーブル２３と光学ピックアップ２４とを有する。ケース２１は、背面板２５、天板２６、底板２７を有する。底板２７上のうち背面側の場所に電子回路プリント基板モジュール２８が固定してあり、インターフェースとしての標準のコネクタ２９が背面板２５の開口窓２５ａに露出している。背面板２５の両端近傍には、雌ねじ部２５ｂ，２５ｃがタッピングされて形成してある。
【００２０】
４０はコネクタ変換アダプタであり、細長い形状のプリント基板４１の片面に上記のコネクタ２９と接続できるコネクタ４２が実装してあり、プリント基板４１の反対側の面に所定のコネクタ４３が実装してあり、コネクタ２９の各端子とコネクタ４３の対応する端子とがプリント基板４１上の配線パターンによって電気的に接続してあり、且つ、プリント基板４１の両端近傍にねじが通る穴４１ａ，４１ｂが形成してある構成である。コネクタ４３は、ＣＤ−ＲＯＭドライブ２０が組み込まれるコンピュータ装置の内部の制御用ボードから延びているケーブルの先端のケーブルコネクタが接続されるサイズのものである。
【００２１】
このコネクタ変換アダプタ４０は、プリント基板４１と背面板２５との間に、スペーサ５０、５１を介在させて、ねじ５２、５３によってＣＤ−ＲＯＭドライブ２０の背面側に取り付けてある。
【００２２】
ねじ５２は穴４１ａ、スペーサ５０を通して雌ねじ部２５ｂにねじ込んである。ねじ５３は穴４１ｂ、スペーサ５１を通して雌ねじ部２５ｃにねじ込んである。
【００２３】
ここで、スペーサ５０、５１は、図３中に拡大して示すように、リング状であり、タップはきられていず、ＡＢＳ樹脂製の成形部品であり、安価である。よって、コネクタ変換アダプタ３０のＣＤ−ＲＯＭドライブ２０への取り付け構造は、従来に比べて安価である。
【００２４】
なお、スペーサ５０、５１は挟まれる面に凹部５０ａを有し、この凹部５０ａの内部が成形金型のゲートの位置となっている。よって、凸状のゲート跡が形成されても、凸状のゲート跡は凹部５０ａ内に収まって、スペーサ５０、５１の厚さｔ２に影響はない。
【００２５】
図４はコネクタ変換アダプタ４０をＣＤ−ＲＯＭドライブ２０の背面側に取り付ける作業の手順を示す。
【００２６】
この作業には、治具６０を使用する。治具６０は、ベース６１に支持台６２がヒンジ機構５３によって取り付けてある構成である。支持台６２は、支持柱６４に支えられる図４（Ａ）に示す傾斜した位置と図４（Ｃ）に示す垂直に立ち上げた位置との間で回動可能である。支持台６２は、裏返しにされて且つ背面が上側を向きフロントベゼル３０が下側を向いた姿勢のＣＤ−ＲＯＭドライブ２０が収まる形状を有している。支持台６２は、その上側の端にスペーサを支持するＵ字形のスペーサ支持部６５、６６を有し、下側にフロントベゼル３０を支えるフロントベゼル支え部６７を有し、横側にケース２１を支えるケース支え部６８を有する。スペーサ支持部６５、６６の厚さｔ１は、スペーサ５０、５１の厚さｔ２より薄い。
【００２７】
先ず、図４（Ａ）に示すように傾斜している支持台６２に、ＣＤ−ＲＯＭドライブ２０を裏返しにし且つ背面が上側を向きフロントベゼル３０が下側を向いた姿勢で置く。コネクタ２９がスペーサ支持部６５、６６の間に露出し、雌ねじ部２５ｂがスペーサ支持部６５の内側に位置し、雌ねじ部２５ｃがスペーサ支持部６６の内側に位置する。
【００２８】
次いで、コネクタ変換アダプタ４０を、そのコネクタ４２をコネクタ２９に差し込んで接続させて図４（Ｂ）に示すように取り付ける。
【００２９】
穴４１ａと雌ねじ部２５ｂとが対向し、この間にスペーサ支持部６５が位置している。同様に、穴４１ｂと雌ねじ部２５ｃとが対向し、この間にスペーサ支持部６６が位置している。
【００３０】
次いで、図４（Ｂ）に示すように、スペーサ５０をスペーサ支持部６５に、スペーサ５１をスペーサ支持部６６に差し込む。スペーサ支持部６５、６６はプリント基板４１によって覆われており、スペーサ５０、５１はスペーサ支持部６５、６６から抜け出さない。スペーサ５０、５１はスペーサ支持部６５、６６によって位置を拘束されて、雌ねじ部２５ｂ、２５ｃの真上に位置し、ずれたり、落下したりすることもない。
【００３１】
次いで、図４（Ｃ）に示すように、支持台６２を起こして垂直とし、ねじ５２、５３を締め、ＣＤ−ＲＯＭドライブ２０を支持台６２から取り出す。これによって、コネクタ変換アダプタ４０がＣＤ−ＲＯＭドライブ２０にスペーサ５０、５１を介してねじ止めされて固定される。
【００３２】
上記のように、作業者が指先でスペーサ５０、５１を押えるような面倒な作業は不要であり、コネクタ変換アダプタ４０をＣＤ−ＲＯＭドライブ２０にスペーサ５０、５１を介してねじ止めして取り付ける作業は作業性良く行われる。
【００３３】
また、スペーサ５０、５１は円筒以外の形状でもよい。
【００３４】
なお、図２に示すようにＣＤ−ＲＯＭドライブ本体２２の上面には、複数の突起３１が分散して配置してある。この突起３１は、図５に示すように、ＣＤ−ＲＯＭドライブ本体２２がケース２１内に収まっている状態で、誤って作業者がケース２１の天板２６を手で強く押し付けてしまった場合に天板２６を受け止めて天板２６が過剰に撓まないようにして、天板２６の下面がＣＤ−ＲＯＭに当たってしまう不都合が起きないようにするために設けてある。この突起３１は、ＣＤ−ＲＯＭドライブ本体２２がケース２１に対して出入りするときに、天板２６の下面を擦る。
【００３５】
ここで、突起３１は半球形状であるため、突起３１と天板２６の下面との接触は点接触となり、ＣＤ−ＲＯＭドライブ本体２２がケース２１に対して出入りするときに受ける摺動抵抗は、突起が円柱形状である場合にくらべて低い。よって、ＣＤ−ＲＯＭドライブ本体２２がケース２１に対して出入りする動作は円滑になされる。図２中では、突起３１はドライブ本体２２の四隅に位置するように設けられているが、突起３１は図２の位置に限定されない。例えば、ドライブ本体２２のフロントベゼル３０側に一列に複数設けるようにすれば、外力によって特に撓み易いケース２１の開口部分について、確実に撓み防止することができる。
【００３６】
【発明の効果】
上述の如く、請求項１に係る発明によれば、合成樹脂製の成形部品であるスペーサを使用している構成であるため、真鍮製の部品を使用している従来のものに比べて、安価に出来る。
【００３７】
請求項２の発明によれば、スペーサは、挟まれる面に凹部を有し、この凹部の内部が成形金型のゲートの位置となっている構成であるため、凸状のゲート跡が形成されても凸状のゲート跡は凹部内に収まって、スペーサの厚さに影響を及ぼさず、よって、コネクタ変換アダプタを精度良く取り付けることが出来る。
【００３８】
請求項３に係る発明によれば、スペーサを支持するスペーサ支持部を有する支持台を備えた治具を使用することによって、スペーサは、ディスク装置を支持台に置いたのちに、スペーサ支持部に嵌合させることによって位置決めされ、よって、作業者が指先でスペーサを押えて支持するような面倒はなく、よって、コネクタ変換アダプタをディスク装置の背面に取り付ける作業を簡単に且つ作業性良く行うことが出来る。
【００３９】
請求項４に係る発明によれば、支持台は支持柱に所定の角度にもって支持される傾斜位置と前記支持台を立ち上げた垂直位置との間で回動可能に設けられている構成としたものであるので、垂直位置の状態でねじ止め作業を行うことによって、ねじ止め作業を上側から行うことが可能となり、コネクタ変換アダプタをディスク装置の背面に取り付ける作業を簡単に且つ作業性良く行うことが出来る。
【図面の簡単な説明】
【図１】本発明の一実施例になるコネクタ変換アダプタの取り付け構造を概略的に示す図である。
【図２】本発明の一実施例になるコネクタ変換アダプタの取り付け構造が適用してあるＣＤ−ＲＯＭドライブを示す図である。
【図３】コネクタ変換アダプタのＣＤ−ＲＯＭドライブへの取り付け構造を示す図である。
【図４】コネクタ変換アダプタ取り付け用治具及びこの治具を使用してコネクタ変換アダプタをＣＤ−ＲＯＭドライブへ取り付ける作業を説明する図である。
【図５】ＣＤ−ＲＯＭドライブ本体の突起の形状を示す図である。
【図６】従来のコネクタ変換アダプタの取り付け構造を概略的に示す図である。
【符号の説明】
２０　ＣＤ−ＲＯＭドライブ
２１　ケース
２５　背面板
２５ａ　開口窓
２５ｂ，２５ｃ　雌ねじ部
２８　電子回路プリント基板モジュール
２９　標準のコネクタ
４０　コネクタ変換アダプタ
４１　細長い形状のプリント基板
４１ａ，４１ｂ　穴
４２　コネクタ
４３　コネクタ
５０，５１　ＡＢＳ樹脂製の成形部品であるスペーサ
５２，５３　ねじ
６０　治具
６２　支持台
６５、６６　スペーサ支持部
【図１】
2004071005.tif 000003
【図２】
2004071005.tif 000004
【図３】
2004071005.tif 000005
【図４】
2004071005.tif 000006
【図５】
2004071005.tif 000007
【図６】
2004071005.tif 000008